(57)【特許請求の範囲】
【請求項１】
加入者端末と加入者回線を介して接続されるインタフェース共用カードであって、前記加入者端末の端末形式であるアナログモード及びディジタルモードにそれぞれ対応するアナログ及びディジタルインタフェースと、電源投入または起動指令に応答して前記アナログ及びディジタルインタフェースの一方を選択設定する初期設定手段と、前記加入者端末への給電をなす給電手段と、この給電に応答して前記加入者端末からのループ電流を検出してこの検出値に応じて前記インタフェースの切り替え制御をなすインタフェース切り替え制御手段とを含むことを特徴とするインタフェース共用カード。
【請求項２】
前記インタフェース切り替え制御手段は、前記ループ電流の値が、前記初期設定手段により設定されたインタフェースのモード時の値に等しい場合に、このインタフェースに設定制御するようにしたことを特徴とする請求項１記載のインタフェース共用カード。
【請求項３】
前記インタフェース切り替え制御手段は、前記ループ電流の値が、前記初期設定手段により設定されたインタフェースのモード時の値に等しくない場合に、他のインタフェースに切り替えて、前記給電手段による給電をなすようにしたことを特徴とする請求項２記載のインタフェース共用カード。
【請求項４】
前記インタフェース切り替え手段による設定制御されたインタフェースのモードにおいて、前記加入者端末からのデータに一定のパターンが一定の回数繰り返されたとき同期パターンとして検知する同期パターン検知手段と、前記加入者端末からのデータから制御信号を分離する制御信号分離手段と、前記制御信号からフレーム信号を検出するフレーム信号検出手段と、前記同期パターンあるいは前記フレーム信号を基にフレーム同期の確立を検知するフレーム同期検知手段とを、更に含むことを特徴とする請求項１〜３いずれか記載のインタフェース共用カード。
【請求項５】
加入者端末と加入者回線を介して接続される前記加入者端末の端末形式であるアナログモード及びディジタルモードにそれぞれ対応するアナログ及びディジタルインタフェースを有するインタフェース共用カードのインタフェース切り替え方法であって、電源投入または起動指令に応答して前記アナログ及びディジタルインタフェースの一方を選択設定する初期設定ステップと、前記加入者端末への給電をなすステップと、この給電に応答して前記加入者端末からのループ電流を検出してこの検出値に応じて前記インタフェースの切り替え制御をなすステップとを含むことを特徴とするインタフェース切り替え方法。
【請求項６】
前記ループ電流の値が、前記初期設定ステップにより設定されたインタフェースのモード時の値に等しい場合に、このインタフェースに設定制御するステップを、更に含むことを特徴とする請求項５記載のインタフェース切り替え方法。
【請求項７】
前記ループ電流の値が、前記初期設定ステップにより設定されたインタフェースのモード時の値に等しくない場合に、他のインタフェースに切り替えて給電をなすステップを、更に含むことを特徴とする請求項６記載のインタフェース切り替え方法。
【請求項８】
前記加入者端末からのデータに一定のパターンが一定の回数繰り返されたとき同期パターンとして検知するステップと、前記加入者端末からのデータから制御信号を分離するステップと、前記制御信号からフレーム信号を検出するステップと、前記同期パターンあるいは前記フレーム信号を基にフレーム同期の確立を検知するステップとを、更に含むことを特徴とする請求項５〜７いずれか記載のインタフェース切り替え方法。
【請求項９】
加入者端末と加入者回線を介して接続される前記加入者端末の端末形式であるアナログモード及びディジタルモードにそれぞれ対応するアナログ及びディジタルインタフェースを有するインタフェース共用カードのインタフェース切り替え方法を制御するプログラムを記録した記録媒体であって、
前記プログラムは、
電源投入または起動指令に応答して前記アナログ及びディジタルインタフェースの一方を選択設定する初期設定ステップと、前記加入者端末への給電をなすステップと、この給電に応答して前記加入者端末からのループ電流を検出してこの検出値に応じて前記インタフェースの切り替え制御をなすステップとを含むことを特徴とする記録媒体。
【請求項１０】
前記プログラムは、前記ループ電流の値が、前記初期設定ステップにより設定されたインタフェースのモード時の値に等しい場合に、このインタフェースに設定制御するステップを、更に含むことを特徴とする請求項９記載の記録媒体。
【請求項１１】
前記プログラムは、前記ループ電流の値が、前記初期設定ステップにより設定されたインタフェースのモード時の値に等しくない場合に、他のインタフェースに切り替えて給電をなすステップを、更に含むことを特徴とする請求項１０記載の記録媒体。
【発明の詳細な説明】
【０００１】
【発明の属する技術分野】
本発明はインタフェース共用カード及びその自動インタフェース切り替え方法並びにその方法を記録した記録媒体に関し、特に加入者線伝送装置におけるインタフェース共用カード及びその自動インタフェース切り替え方法並びにその方法を記録した記録媒体に関する。
【０００２】
【従来の技術】
例えば、ＩＳＤＮ（サービス総合ディジタル通信網）の加入者と、交換局（機）との接続（部）システムを図４に示す。すなわち、図４において、加入者側に設置される加入者端末１〜ｎからは、加入者回線ａを介して交換機（図示せず）側の加入者線伝送装置１０に接続される。加入者線伝送装置１０には、加入者端末１〜ｎに対応して加入者回線ａのインタフェースを多重分離部１５に合わせるための変換を行うアナログ／ディジタルインタフェース共用（専用）カード３１〜３ｎを有する。また、加入者端末１〜ｎと交換機との間の信号の多重／分離を行う多重分離部１５を有する。
【０００３】
さらに、加入者端末１〜ｎは、加入者と直接接するアナログ電話機１４、ＩＳＤＮ端末１２、パソコン等の端末１３、加入者回線ａのディジタル信号を終端し、ＩＳＤＮ端末１２及びパソコン１３に、接続する加入者終端装置２１〜２ｎを有する。さらにまた、アナログ／ディジタルインタフェース共用（専用）カード３１〜３ｎは、加入者線ａから入力された主信号のアナログ／ディジタル変換あるいは終端とフレームアライメント（フレーム変換）を行い、多重分離部１５に出力する。多重分離部１５はアナログ／ディジタルインタフェース共用（専用）カード３１〜３ｎから入力された主信号を多重すると共に、交換機側の上位装置のインタフェースに合わせて出力（ｉ）する。
【０００４】
また、逆方向に交換機側から入力された主信号ｉは多重分離部１５に入力されて分離された後、アナログ／ディジタルインタフェース共用（専用）カード３１〜３ｎへ出力（ｂ）される。アナログ／ディジタルインタフェース共用（専用）カード３１〜３ｎは多重分離部１５から入力された信号ｂを終端後、フォーマット変換あるいはアナログ信号に変換して加入者回線ａを介して加入者端末１〜ｎへ出力する。加入者端末１〜ｎの加入者終端装置２１〜２ｎはマルチフレーム信号の終端及び主信号の分離を行い、各端末１２，１３にそれぞれの主信号を出力する。
【０００５】
従来、加入者端末１〜ｎの端末形式（例えばディジタル、アナログ）を変更する際は、図５〜７に示すように、交換機（加入者線伝送装置１０）側に、予め端末形式に対応するインタフェース共用カード（図７参照）あるいは専用のインタフェースカード（図５，６参照）を形式種別数分用意しておく。その結果、加入者の申告により形式変更を行う際は、人手あるいは交換機側からのリモート制御にて端末形式変更作業を行っていた。
【０００６】
なお、図５〜７において、インタフェース共用（専用）カード３１〜３ｎは、加入者回線ａから／への信号をアナログ／ディジタル信号に応じてアナログ／ディジタルインタフェース１７，１８へ切り替えるスイッチ（ＳＷ）１６を有する。また、加入者回線ａにインタフェースするアナログあるいはディジタルインタフェース１７，１８、フレーム終端及びインタフェース変換を行う共通部１９を有して構成される。
【０００７】
【発明が解決しようとする課題】
従来、加入者端末１〜ｎの形式を変更する際は、図５〜７に示すように、交換機（加入者線伝送装置１０）側に、予め端末形式に対応するインタフェース共用カード（図７参照）あるいは専用のインタフェースカード（図５，６参照）を形式種別数分用意しておく必要がある。その結果、加入者の申告により形式変更を行う際は、人手あるいは交換機側からのリモート制御にて端末形式変更作業を行っていた。従って、カード交換作業コストや変更時間等が大となる問題があった。
【０００８】
本発明の目的は、作業コストや変更時間等を最小とするインタフェース共用カード及びその自動インタフェース切り替え方法、並びにその方法を記録した記録媒体を提供することである。
【０００９】
【課題を解決するための手段】
本発明によるインタフェース共用カードは、加入者端末と加入者回線を介して接続されるインタフェース共用カードであって、前記加入者端末の端末形式であるアナログモード及びディジタルモードにそれぞれ対応するアナログ及びディジタルインタフェースと、電源投入または起動指令に応答して前記アナログ及びディジタルインタフェースの一方を選択設定する初期設定手段と、前記加入者端末への給電をなす給電手段と、この給電に応答して前記加入者端末からのループ電流を検出してこの検出値に応じて前記インタフェースの切り替え制御をなすインタフェース切り替え制御手段とを含むことを特徴とする。
【００１０】
そして、前記インタフェース切り替え制御手段は、前記ループ電流の値が、前記初期設定手段により設定されたインタフェースのモード時の値に等しい場合に、このインタフェースに設定制御するようにしたことを特徴とし、また前記インタフェース切り替え制御手段は、前記ループ電流の値が、前記初期設定手段により設定されたインタフェースのモード時の値に等しくない場合に、他のインタフェースに切り替えて、前記給電手段による給電をなすようにしたことを特徴とする。
【００１１】
更に、前記インタフェース切り替え手段による設定制御されたインタフェースのモードにおいて、前記加入者端末からのデータに一定のパターンが一定の回数繰り返されたとき同期パターンとして検知する同期パターン検知手段と、前記加入者端末からのデータから制御信号を分離する制御信号分離手段と、前記制御信号からフレーム信号を検出するフレーム信号検出手段と、前記同期パターンあるいは前記フレーム信号を基にフレーム同期の確立を検知するフレーム同期検知手段とを含むことを特徴とする。
【００１２】
本発明によるインタフェース切り替え方法は、加入者端末と加入者回線を介して接続される前記加入者端末の端末形式であるアナログモード及びディジタルモードにそれぞれ対応するアナログ及びディジタルインタフェースを有するインタフェース共用カードのインタフェース切り替え方法であって、電源投入または起動指令に応答して前記アナログ及びディジタルインタフェースの一方を選択設定する初期設定ステップと、前記加入者端末への給電をなすステップと、この給電に応答して前記加入者端末からのループ電流を検出してこの検出値に応じて前記インタフェースの切り替え制御をなすステップとを含むことを特徴とする。
【００１３】
更に、前記ループ電流の値が、前記初期設定ステップにより設定されたインタフェースのモード時の値に等しい場合に、このインタフェースに設定制御するステップを含むことを特徴とする。更にはまた、前記ループ電流の値が、前記初期設定ステップにより設定されたインタフェースのモード時の値に等しくない場合に、他のインタフェースに切り替えて給電をなすステップを含むことを特徴とする。また、前記加入者端末からのデータに一定のパターンが一定の回数繰り返されたとき同期パターンとして検知するステップと、前記加入者端末からのデータから制御信号を分離するステップと、前記制御信号からフレーム信号を検出するステップと、前記同期パターンあるいは前記フレーム信号を基にフレーム同期の確立を検知するステップとを更に含むことを特徴とする。
【００１４】
本発明による記録媒体は、加入者端末と加入者回線を介して接続される前記加入者端末の端末形式であるアナログモード及びディジタルモードにそれぞれ対応するアナログ及びディジタルインタフェースを有するインタフェース共用カードのインタフェース切り替え方法を制御するプログラムを記録した記録媒体であって、前記プログラムは、電源投入または起動指令に応答して前記アナログ及びディジタルインタフェースの一方を選択設定する初期設定ステップと、前記加入者端末への給電をなすステップと、この給電に応答して前記加入者端末からのループ電流を検出してこの検出値に応じて前記インタフェースの切り替え制御をなすステップとを含むことを特徴とする。
【００１５】
更に、前記プログラムは、前記ループ電流の値が、前記初期設定ステップにより設定されたインタフェースのモード時の値に等しい場合に、このインタフェースに設定制御するステップを含むことを特徴とし、更にはまた、前記プログラムは、前記ループ電流の値が、前記初期設定ステップにより設定されたインタフェースのモード時の値に等しくない場合に、他のインタフェースに切り替えて給電をなすステップを含むことを特徴とする。
【００１６】
本発明の作用を述べる。本発明によるインタフェース共用カードは、予めすべての端末形式に対応可能なインタフェース共用カードである。すなわち、インタフェース機能切り替えにおいて、加入者線から入力された信号を、該当するインタフェースに接続するためのスイッチ部と、インタフェース共用カードが有している複数の機能を有したインタフェース部とを有する。また、スイッチ部の制御とテスタ部の試験制御と、共通部の多重分離された制御信号の挿抜（挿入／分離）制御と、自動的に加入者側の装置のインタフェース機能に合わせる機能を禁止するためのプロテクト制御とを行う制御部とを有する。
【００１７】
さらに、複数のインタフェース部からの信号を多重分離し、伝送路同期検出、フレーム終端・制御信号同期検出と制御部への通知と、フレームアライメント制御を行う共通部と、テストパターン信号を発生及び照合しデータのエラーを検出するためのテスタ部とを有して構成される。特に、制御部と、制御部における制御用同期信号の検出信号の出力部に、テスタ部とを設けたことにより、端末形式変更作集を端末からの信号検出により自動的に実現できる。従って、加入者からの一切の申告を不要とし、加入者からの信号形式の自動検出をトリガとして自動的に切り替わり、業者は、加入者が如何なる端末形式を使用しているかを知ることなくネットワークが運用できる。
【００１８】
また、制御部においては、加入者側が断りなく機能を替えたため、交換機側にてのサービスの管理が不能となる問題を防止するために、加入者側の装置のインタフェース機能に合わせる自動モード切り替え機能を禁止するプロテクト機能を有している。この機能は、マニュアルスイッチにてプロテクトの許可／非許可を行うローカル制御方法と、リモートから交換機の主信号に制御信号を多重し、その多重されたの制御信号を分離し、制御コマンドを検出して、プロテクトの許可／非許可を行うリモート制御方法とがあり、これら両方法（双方）の論理和（ＯＲ）をとってどちらの方法にても動作するようになっている。さらに、接続されている加入者端末を自動認識してインタフェース共用カード内の機能を自動的に加入者側の装置のインタフェース機能に合わせた後、テストパターン信号の発生及び照合を行い回線状態を試験するためのテスタ部を有している。
【００１９】
【発明の実施の形態】
以下に、本発明の実施例について図面を参照して説明する。先ず、図４を参照すると、本発明に関連するシステム構成である。図４において、加入者側に設置される加入者端末１〜ｎからは、加入者回線ａを介して交換機（図示せず）側の加入者線伝送装置１０に接続される。
【００２０】
加入者線伝送装置１０には、加入者端末１〜ｎに対応して加入者回線ａのインタフェースを多重分離部１５に合わせるための変換を行うインタフェース共用カード３１〜３ｎを有する。また、加入者端末１〜ｎと交換機との間の信号の多重／分離を行う多重分離部１５を有する。加入者端末１〜ｎは、加入者と直接接するアナログ電話機１４、ＩＳＤＮ端末１２、パソコン等の端末１３、加入者回線ａから／へのディジタル信号を終端し、ＩＳＤＮ端末１２及びパソコン１３に接続する加入者終端装置２１〜２ｎを有する。
【００２１】
インタフェース共用カード３１〜３ｎは加入者線ａから入力された主信号のアナログ／ディジタル変換、あるいは終端とフレームアライメント（フレーム変換）を行い多重分離部１５に出力する。多重分離部１５はインタフェース共用カード３１〜３ｎから、それぞれ入力された主信号を多重すると共に、交換機側の装置のインタフェースに合わせて出力（ｉ）する。
【００２２】
また、逆方向に交換機側から入力された主信号ｉは多重分離部１５に入力されて分離された後、インタフェース共用カード３１〜３ｎへそれぞれ出力ｂされる。インタフェース共用カード３１〜３ｎは多重分離部１５から入力された信号ｂを終端後、フォーマット変換あるいはアナログ信号に変換し加入者回線ａを介して加入者端末１〜ｎへ出力する。加入者端末１〜ｎの加入者終端装置２１〜２ｎはマルチフレーム信号の終端及び主信号の分離を行い、各端末１２，１３にそれぞれの主信号を出力する。
【００２３】
図１は図４のインタフェース共用カード３１〜３ｎの具体例を示すブロック図であり、本発明の実施例を示すものである。図１において、本発明によるインタフェース共用カード３１〜３ｎは加入者線ａから入力された（主）信号（ディジタルデータ）を該当する（端末形式；例えばディジタル；ＩＳＤＮ、アナログ；通常電話回線の）インタフェース１７，１８に、選択・接続するためのスイッチ部（ＳＷ）１６を有する。
【００２４】
また、インタフェース共用カード３１〜３ｎが有している複数のインタフェース部（ここでは、アナログインタフェース１７とディジタルインタフェース１８とを例示している）を有する。さらに、スイッチ部１６を該当のインタフェース１７，１８に切り替え制御する機能と、テスタ部３０の試験制御を行う機能と、共通部１９にて多重／分離された制御信号の挿入／分離する機能と、自動的に加入者端末１〜ｎとのインタフェースに合わせることを禁止するプロテクト機能とを有した制御部２０を有する。
【００２５】
さらにまた、複数のインタフェース部１７，１８からの信号を多重／分離し、フレーム終端及びインタフェース変換を行う共通部１９、テストパターン信号を発生及び照合し、データのエラーを検出することにより、回線状況を試験するためのテスタ部３０を有して構成される。
【００２６】
なお、制御部２０のプロテクト機能においては、プロテクトスイッチからのマニュアル操作ｃにて、プロテクトの許可／非許可を行うローカル制御方法を有する。また、リモート端末からの制御信号が、交換機側（の上位装置）からの信号ｂにこの制御信号が多重されており、その多重されたの制御信号ｅを分離し、制御コマンドを検出してプロテクトの許可／非許可を行うリモート制御方法も有する。さらに、双方の論理和（ＯＲ）をとっているため、どちらの方法にても動作し、遠く離れた場所に設置されていても遠隔制御が行える構成になっている。
【００２７】
本発明の実施例の動作を図２のフローチャートにより説明する。本発明によるインタフェース共用カード３１〜３ｎに電源が投入されるかまたは起動指令があると、外部から制御部２０に対してパワーオンリセット信号ｄが入力される（ステップＳ１）。その際、制御部２０はインタフェース共用カード３１〜３ｎの状態を、例えば、ディジタルモードになるようにスイッチ部１６及び共通部１９に、スイッチ切り替え情報、ディジタル同期回路選択情報、通信制御情報（ＣＯ／ＳＴ信号）を抽出する回路選択情報の初期設定情報を出力する。
【００２８】
この設定にてスイッチ部１６は加入者回線ａがディジタルインタフェース１８に接続され、アナログインタフェース１７は加入者回線ａに接続されない状態になる。また、共通部１９は、ディジタルインタフェース１８からの信号が選択され、信号処理ができるモードに設定され、ディジタルモードの立ち上げが完了する（ステップＳ２）。
【００２９】
次に、この動作により、インタフェース共用カード３１〜３ｎは加入者終端装置２１〜２ｎと接続され、ディジタルモードとして通信することになるため、加入者線ａにインタフェース共用カード３１〜３ｎから直流電圧の印加を行う。この直流電圧は、通常の極性とは逆極性であるリバース給電である（ステップＳ３）。この状態では、端末側がオンフック状態にあるため、通常の給電では電流が流れないので、起動をかけるために給電極性を反転させて給電（リバース給電）させることにより、直流電流を流すのである。
【００３０】
この時、この直流電圧の印加を受けた加入者端末１〜ｎの加入者終端装置２１〜２ｎは、この直流電圧（リバース給電）を送り返す。この送り返されたリバース給電を、受けたインタフェース共用カード３１〜３ｎの制御部２０はループ電流検出を行う（ステップＳ４）。端末がディジタルモードに対応した端末であれば、当該ループ電流は固定値の３９ｍＡであることから、このループ電流が３９ｍＡかどうかを検出し、３９ｍＡであれば、ディジタル回線が接続されていると判断し、ディジタルモードに移行する。もし、ステップＳ４で、３９ｍＡが検出できなければ、アナログ回線（端末）が接続されていると判断し、アナログモードに移行する（ステップＳ６）。
【００３１】
次に、ディジタル回線が接続されていると判断された場合、加入線伝送（ディジタル）フレームと、チャネル単位の制御信号であるフレーム（信号）情報を含むＣＯ（Control ）信号とにより、フレーム同期確立の判定を行う（ステップＳ５）。なお、加入線伝送フレームの同期確立の判定方法は、加入者端末１〜ｎと加入者線伝送装置１０との間にて、定められたパターンを連続して一定の回数受信できた場合、同期パターンとして判定する。同時に、チャネル単位の制御信号であるＣＯ信号のフレーム同期（信号）検出を行う。ＣＯ信号によるフレーム同期確立も、加入線伝送フレームによる同期確立と同様、一定の回数受信した場合に同期確立状態と判断する。
【００３２】
この場合、ディジタルモードでの同期信号は６マルチフレーム構成であり、これに対してアナログモードでの同期信号は３マルチフレーム構成であり、よってディジタルモードでは６マルチフレーム構成を検出することで同期確立状態を判断できる。また逆に、加入線伝送フレームの同期パターンが、連続して一定回数受信できなかった場合は同期はずれと判断し、再同期検出状態に入る。
【００３３】
もし、ここで同期確立すれば、加入者終端装置２１〜２ｎと通信できるかどうかを確認するため、制御部２０から共通部１９を経由し、ディジタルインタフェース１８及びスイッチ部１６を介して、加入者終端装置２１〜２ｎに対し、加入者終端装置２１〜２ｎにおいて、主信号と制御信号とを折リ返すためのリモートループ信号ｆを出力する。そして、共通部１９では、加入線伝送フレームとチャネル単位のステータス信号であるＳＴ（Status）信号とのフレーム同期検出を行う。同期が確立していれば、リモートループ状態を示すステータスビットを監視し、正常リモートループが行われているかどうかを判断できる。
【００３４】
もし、加入線伝送フレームとチャネル単位のステータス信号であるＳＴ信号とのフレーム同期検出ができなければ、一定の時間再同期検出状態にて監視を継続する。リモートループが正常に行われると判断した場合に、テスタ３０は共通部１９に、ある定められた生成多項式にて発生させたランダム的なテスト信号ｈを送出する。
【００３５】
共通部１９では、通常ユーザデータを割り当てられる主信号スロットにテスト信号ｈを強制的に挿入し加入者終端装置２１〜２ｎへ送出する。それと共に、加入者終端装置２１〜２ｎからループされてきたテスト信号ｇを主信号スロットから分離してテスタ３０へ出力する。テスタ３０では、送出したテスト信号ｈとループされて受信したテスト信号ｇとを、上述のテスト信号ｈを発生させた方法と、同じ定められた生成多項式の回路にて復元を行い、比較することによってエラーの有無をチェックすることができる。
【００３６】
さらに、テスタ３０では、任意の時間間隔にてエラーの検出を行う機能も有する。エラーがある場合は、エラーアラーム表示を行うと共に、上述の時間間隔にてエラー回数をカウントしてエラーレートを計算する。このエラーレートから通信に支障をきたすか否かの判断を行い、エラーレートが一定値以下であれば（ステップＳ５がＯＫ）、そのまま通常の通信状態とする（ステップＳ７）。もし、一定値以上のエラーレートあるいはＳＴ同期確立ができなければ回線異常と判断し（ステップＳ５がＮＧ）、回線を切断する。すなわち、インタフェース共用カード３１〜３ｎの動作としては、動作不能と判断してアラーム発生を行って停止モードに移行する（ステップＳ８）。
【００３７】
次に、アナログ端末と判定された場合、制御部２０は同期非確立情報ｅを共通部１９から受信し、スイッチ部１６に対して加入者線ａをアナログインタフェース１７に接続するように切り替え制御を行う（ステップＳ６）。この動作により、インタフェース共用カード３１〜３ｎはアナログ電話機１４と接続されるアナログモードとして通信するためのリバース給電を行う（ステップＳ９）。
【００３８】
この場合のループ電流は、アナログ端末の種類（通常の加入者端末や公衆電話等）よって２０ｍＡ，３０ｍＡ，４０ｍＡと異なる電流値を示すが、このいずれかの電流値が共通部１９にて検出されれば、加入者線ａにアナログ電話機１４が接続されていると判断することができる（ステップＳ１０）。もし、上記の電流値のいずれかが検出されれば（ステップＳ１０がＯＫ）、アナログ電話機１４が接続されていると判断し、上述したディジタルモードの場合と同様に、ＳＤ（制御信号）及びＳＣＮ（ステータス信号）同期確立を判定を行う。この場合、上述したように、アナログモードの場合は、同期信号は３マルチフレームであることから、このマルチフレーム構成の検出を行うことで、同期確立の判断が可能である。同期確立すれば、アナログモードとして運用される（ステップＳ１２）。
【００３９】
また、ステップＳ１０において、２０ｍＡ，３０ｍＡ，４０ｍＡの電流値以外であれば、回線異常あるいは装置故障と判断して、アラームを発生させる（ステップＳ８）。そして、インタフェース共用カード３１〜３ｎの動作としては、動作不能と判断して停止モードに移行する。この停止モードから脱出するには、交換機側からの上位制御により、パワーオンリセット（ｄ）を行うことにより、再起動（ステップＳ１）を行うことができる。
【００４０】
次に、図３に共通部１９の詳細構成図を示し、各ブロックの詳細動作について説明する。まず、加入者回線ａから交換機側方向ｂについて説明する。アナログインタフェース１７とディジタルインタフェース１８とからの信号には、データ信号ｊ，ｌとクロック信号ｋ，ｍとがあり、それぞれ入力される。データ信号ｊ及びクロック信号ｋとデータ信号ｌ及びクロック信号ｍとはスイッチ（ＳＷ）４１にて選択される。
【００４１】
入力されたデータ信号ｊあるいはｌとクロック信号ｋあるいはｍとは、バッファメモリー（ＢＵＦＦ）部４２にて、加入者回線ａからのクロックｋあるいはｍ位相を、バッファメモリー４２を介して交換機側のクロックｐの周波数と位相に乗せ替えられる。すなわち、入力されたデータ信号ｊあるいはｌをクロック信号ｋあるいはｍにてバッファメモリー４２に一時格納（固定）し、交換機側のクロックｐにて読み出すことにより、出力データをクロック信号ｐに同期させる。
【００４２】
そして、同期検出部４３においては、ＢｕＦＦ部４２から出力されたデータ信号から、ビットシフトによる多点監視により、（ディジタル）フレーム（ワード）の（フレーム）同期信号を検出し、主信号データｏと制御信号ｑとに分離する。制御信号ｑは、加入者終端装置２１〜２ｎからの予め決められた内容の状態を、通知するためのステータス（状態）信号であり、ディジタルインタフェース１８の場合は、ステータス信号（ＳＴ信号）がこれに当たる。この制御信号ｑの中にはフレーム同期信号がアサインされており、この同期信号を検出して、同期がとれていれば制御（ＤＳＰ）部４５に対して、同期状態にあることと制御信号ｑとを出力する。ＤＳＰ部４５にては、この情報を基にリモートループを行うための制御指令信号ｒを制御部２０に出力し、モード切り替え設定フローの動作を行う。
【００４３】
送信フレームアライメント部４４にては、同期検出回路４３からの主信号ｏを交換機と接続できるインタフェースに変換し、交換機側へ出力（ｂ）する。また逆に、受信フレームアライメント部４８は交換機側からの主信号ｂをインタフェース共用カード３１〜３ｎと接続できるインタフェースに変換し、制御信号の分離と終端を行う。さらに、受信フレームアライメント部４８では、同期検出部４３にて同期が検出でき、かつモード切り替え設定のプロテクトｒが解除され、リモートループ指令が入出力（インタフェース）部４６を介してＤＳＰ部４５に入力された場合、モード切り替えフローに入る。
【００４４】
この動作にてリモートループできた場合、テスタ部３０はテスト信号ｕを入出力部４６及びＤＳＰ部４５を介して受信フレームアライメント部４８に出力し、受信フレームアライメント部４８にてテスト信号ｕを主信号に多重する。多重された主信号は同期挿入部４９にて制御信号（ＣＯ信号）に（フレーム）同期信号を付加し、アナログインタフェース１７とディジタルインタフェース（部）１８とに出力（ｖ）する。この出力された主信号ｖは加入者終端装置２１〜２ｎにてリモートループされて戻ってくる。そのため、送信アライメント部４４から受信した主信号ｂは、テスタ部３０にてテスト信号ｈを発生させた方法と、同じ定められた生成多項式にて復元を行い、比較することによってエラーの有無をチェックし、回線状態の判定を行う。
【００４５】
なお、図１に示す実施例においては、アナログインタフェース（一般電話機及び公衆電話網対応）と、ディジタルインタフェース（ＩＳＤＮ）について説明してきた。
【００４６】
しかし、ｘＤＳＬ（Digital Subscriber Line ）、データモデム等の加入者回線を利用したデータ通信を、目的としたインタフェース機能を追加しても良い。さらに、これらすべての機能を搭載しなくても、２種類のインタフェース以上のいかなる組み合わせを用いても良い。
【００４７】
また、図２のフローチャートにおいては、ディジタルモードから立ち上げているが、逆にアナログモードから立ち上げても良いことは勿論である。更に、アナログ及びディジタルの各モードの検出のために、リバース給電を行って、その時のループ電流値によりモードの判定を行っているが、上述したように、アナログモードの時には、同期信号は３マルチフレームであり、ディジタルモードの時は、６マルチフレーム構成であるので、このマルチフレームの検出結果に基づきモード判定ができるものである。
【００４８】
【発明の効果】
以上説明したように本発明は、従来人手にて対応してきた一連の端末形式変更作業を、加入者からの形式変更申告なしに、端末からの信号検出によって自動的に実現できるため、パッケージの交換作業コスト・時間が削減できる効果がある。
【図面の簡単な説明】
【図１】本発明の実施例のブロック図である。
【図２】本発明の実施例のフローチャートである。
【図３】本発明の実施例の共通部の詳細ブロック図である。
【図４】本発明の関連するシステムのブロック図である。
【図５】従来のインタフェースカードの一例のブロック図である。
【図６】従来のインタフェースカードの他の一例のブロック図である。
【図７】従来のインタフェースカードのさらに他の一例のブロック図である。
【符号の説明】
１６  スイッチ
１７  アナログインタフェース
１８  ディジタルインタフェース
１９  共通部
２０  制御部
３０  テスタ
３１〜３ｎ  インタフェース共用カード
【図１】
0003673687.tif 000002
【図２】
0003673687.tif 000003
【図３】
0003673687.tif 000004
【図４】
0003673687.tif 000005
【図５】
0003673687.tif 000006
【図６】
0003673687.tif 000007
【図７】
0003673687.tif 000008